(57)【要約】【構成】撮像装置１６は、指定解像度を各々が有する指定数の被写界像をシャッタキー２８ｒの操作に応答して生成する。Ｉ／Ｆ４０は、生成された被写界像を指定圧縮率で圧縮し、圧縮被写界像を記録媒体４２に記録する。ＣＰＵ３０は、設定キー２８ｓの操作に応答して指定数の大きさを変更する。ＣＰＵ３０はまた、指定数の変更処理の後の指定期間における設定キー２８ｓの操作態様を参照して指定解像度および／または指定圧縮率の大きさを変更し、指定期間が経過したとき指定数，指定解像度および指定圧縮率を確定させる。【効果】指定数，指定解像度および指定圧縮率はいずれも設定キー２８ｓの操作に応答して変更されるため、操作性が向上する。【選択図】図２
2010287984.tif 000002
【特許請求の範囲】
【請求項１】
指定画質を各々が有する指定数の被写界像を記録操作に応答して記録する記録手段、
特定キーの操作に応答して前記指定数の大きさを変更する第１変更手段、
前記第１変更手段の変更処理の後の指定期間における前記特定キーの操作態様を参照して前記指定画質を定義するパラメータの大きさを変更する第２変更手段、および
前記指定期間が経過したとき前記指定数および前記指定画質を確定させる確定手段を備える、画像記録装置。
【請求項２】
前記特定キーが操作状態にあるとき前記第２変更手段を起動する第１起動手段をさらに備える、請求項１記載の画像記録装置。
【請求項３】
前記特定キーが非操作状態から操作状態に更新されたとき前記第２変更手段を起動する第２起動手段をさらに備える、請求項１記載の画像記録装置。
【請求項４】
前記第２変更手段の変更処理に関連して前記指定期間を延長する延長手段をさらに備える、請求項１ないし３のいずれかに記載の画像記録装置。
【請求項５】
前記指定期間に対応して報知処理を実行する報知手段をさらに備える、請求項１ないし４のいずれかに記載の画像記録装置。
【請求項６】
前記指定数および前記指定画質に対応するアイコンを表示する表示手段をさらに備え、
前記報知手段は前記表示手段によって表示されたアイコンの色を特定色に変更する色変更手段を含む、請求項５記載の画像記録装置。
【請求項７】
前記第１変更手段は前記指定数の大きさを第１数および第２数の間で変更する、請求項１ないし６のいずれかに記載の画像記録装置。
【請求項８】
前記記録手段は、前記被写界像を生成する撮像手段、および前記被写界像を圧縮する圧縮手段を含み、
前記指定画質を定義するパラメータは解像度および圧縮率を含む、請求項１ないし７のいずれかに記載の画像記録装置。
【請求項９】
指定画質を各々が有する指定数の被写界像を記録操作に応答して記録する記録手段を備える画像記録装置のプロセッサに、
特定キーの操作に応答して前記指定数の大きさを変更する第１変更ステップ、
前記第１変更ステップの変更処理の後の指定期間における前記特定キーの操作態様を参照して前記指定画質を定義するパラメータの大きさを変更する第２変更ステップ、および
前記指定期間が経過したとき前記指定数および前記指定画質を確定させる確定ステップを実行させるための、画像記録プログラム。
【請求項１０】
指定画質を各々が有する指定数の被写界像を記録操作に応答して記録する記録手段を備える画像記録装置によって実行される画像記録方法であって、
特定キーの操作に応答して前記指定数の大きさを変更する第１変更ステップ、
前記第１変更ステップの変更処理の後の指定期間における前記特定キーの操作態様を参照して前記指定画質を定義するパラメータの大きさを変更する第２変更ステップ、および
前記指定期間が経過したとき前記指定数および前記指定画質を確定させる確定ステップを備える、画像記録方法。
【発明の詳細な説明】
【技術分野】
【０００１】
この発明は、画像記録装置に関し、特に電子カメラに適用され、指定画質を各々が有する指定数の被写界像を記録操作に応答して記録する、画像記録装置に関する。
【背景技術】
【０００２】
この種の装置の一例が、特許文献１に開示されている。この背景技術によれば、モードダイヤルが操作されると、動作モードが、セットアップモード，ムービー撮影モード，連写モード，マニュアル撮影モード，オート撮影モード，ポートレートモード，風景撮影モード，および夜景撮影モードの間で切り換えられる。
【０００３】
セットアップモードが選択されると、セットアップメニューが液晶モニタに表示される。セットアップメニューは、記録画質，画素数，立ち上げ時の液晶モニタのＯＮ／ＯＦＦ選択，オートパワーオフ時間，オープニング画面の表示設定，日時設定などの設定項目を有する。十字キーが上下方向に操作されると設定項目の指定が変更され、十字キーが左右方向に操作されると指定された設定項目の内容が変更される。変更された内容は、実行キーの操作によって確定される。
【先行技術文献】
【特許文献】
【０００４】
【特許文献１】特開２００９−３７６１４号公報
【発明の概要】
【発明が解決しようとする課題】
【０００５】
しかし、設定を変更するためには、モードダイヤル，十字キーおよび実行キーを操作する必要がある。このため、背景技術では、操作性の向上に限界がある。
【０００６】
それゆえに、この発明の主たる目的は、操作性を向上させることができる、画像記録装置を提供することである。
【課題を解決するための手段】
【０００７】
この発明に従う画像記録装置(10：実施例で相当する参照符号。以下同じ)は、指定画質を各々が有する指定数の被写界像を記録操作に応答して記録する記録手段(16, 40)、特定キー(28s)の操作に応答して指定数の大きさを変更する第１変更手段(S51)、第１変更手段の変更処理の後の指定期間における特定キーの操作態様を参照して指定画質を定義するパラメータの大きさを変更する第２変更手段(S63)、および指定期間が経過したとき指定数および指定画質を確定させる確定手段(S69)を備える。
【０００８】
好ましくは、特定キーが操作状態にあるとき第２変更手段を起動する第１起動手段(S59)がさらに備えられる。
【０００９】
好ましくは、特定キーが非操作状態から操作状態に更新されたとき第２変更手段を起動する第２起動手段(S59’)がさらに備えられる。
【００１０】
好ましくは、第２変更手段の変更処理に関連して指定期間を延長する延長手段(S57)がさらに備えられる。
【００１１】
好ましくは、指定期間に対応して報知処理を実行する報知手段(S55, S67)がさらに備えられる。
【００１２】
さらに好ましくは、指定数および指定画質に対応するアイコンを表示する表示手段(S43, S53, S65)がさらに備えられ、報知手段は表示手段によって表示されたアイコンの色を特定色に変更する色変更手段(S55)を含む。
【００１３】
好ましくは、第１変更手段は指定数の大きさを第１数および第２数の間で変更する。
【００１４】
好ましくは、記録手段は、被写界像を生成する撮像手段(16)、および被写界像を圧縮する圧縮手段(40)を含み、指定画質を定義するパラメータは解像度および圧縮率を含む。
【００１５】
この発明に従う画像記録プログラムは、指定画質を各々が有する指定数の被写界像を記録操作に応答して記録する記録手段(16, 40)を備える画像記録装置(10)のプロセッサ(30)に、特定キー(28s)の操作に応答して指定数の大きさを変更する第１変更ステップ(S51)、第１変更ステップの変更処理の後の指定期間における特定キーの操作態様を参照して指定画質を定義するパラメータの大きさを変更する第２変更ステップ(S63)、および指定期間が経過したとき指定数および指定画質を確定させる確定ステップ(S69)を実行させるための、画像記録プログラムである。
【００１６】
この発明に従う画像記録方法は、指定画質を各々が有する指定数の被写界像を記録操作に応答して記録する記録手段(16, 40)を備える画像記録装置(10)によって実行される画像記録方法であって、特定キー(28s)の操作に応答して指定数の大きさを変更する第１変更ステップ(S51)、第１変更ステップの変更処理の後の指定期間における特定キーの操作態様を参照して指定画質を定義するパラメータの大きさを変更する第２変更ステップ(S63)、および指定期間が経過したとき指定数および指定画質を確定させる確定ステップ(S69)を備える。
【発明の効果】
【００１７】
この発明によれば、指定数の大きさならびに指定画質を定義するパラメータの大きさはいずれも、特定キーの操作に応答して変更される。これによって、操作性が向上する。
【００１８】
この発明の上述の目的，その他の目的，特徴および利点は、図面を参照して行う以下の実施例の詳細な説明から一層明らかとなろう。
【図面の簡単な説明】
【００１９】
【図１】この発明の基本的構成を示すブロック図である。
【図２】この発明の一実施例の構成を示すブロック図である。
【図３】（Ａ）は単写モードに対応する画質設定メニューの一例を示す図解図であり、（Ｂ）は連写モードに対応する画質設定メニューの一例を示す図解図である。
【図４】図２実施例に適用されるレジスタの構成の一例を示す図解図である。
【図５】設定キーの操作に応じたアイコンの遷移動作の一例を示す図解図である。
【図６】図２実施例に適用されるＣＰＵの動作の一部を示すフロー図である。
【図７】図２実施例に適用されるＣＰＵの動作の他の一部を示すフロー図である。
【図８】図２実施例に適用されるＣＰＵの動作のその他の一部を示すフロー図である。
【図９】図２実施例に適用されるＣＰＵの動作のさらにその他の一部を示すフロー図である。
【図１０】他の実施例に適用されるＣＰＵの動作の一部を示すフロー図である。
【発明を実施するための形態】
【００２０】
以下、この発明の実施の形態を図面を参照しながら説明する。
［基本的構成］
【００２１】
図１を参照して、この発明の画像記録装置は、基本的に次のように構成される。記録手段１は、指定画質を各々が有する指定数の被写界像を、記録操作に応答して記録する。第１変更手段２は、特定キー４の操作に応答して、指定数の大きさを変更する。第２変更手段３は、第１変更手段２の変更処理の後の指定期間における特定キー４の操作態様を参照して、指定画質を定義するパラメータの大きさを変更する。確定手段５は、指定期間が経過したとき指定数および指定画質を確定させる。
【００２２】
したがって、指定数の大きさならびに指定画質を定義するパラメータの大きさはいずれも、特定キー４の操作に応答して変更される。これによって、操作性が向上する。
［実施例］
【００２３】
図２を参照して、この実施例のディジタルカメラ１０は、ドライバ１８ａおよび１８ｂによってそれぞれ駆動されるフォーカスレンズ１２および絞り機構１４を含む。フォーカスレンズ１２および絞り機構１４を経た被写界の光学像は、撮像装置１６の撮像面に照射され、光電変換を施される。これによって、被写界像を表す電荷が生成される。
【００２４】
電源が投入されると、ＣＰＵ３０は、撮像タスクの下でスルー画像処理を実行するべく、ドライバ１８ｃにプリ露光動作および間引き読み出し動作の繰り返しを命令する。ドライバ１８ｃは、ＳＧ(Signal Generator)２０から周期的に発生する垂直同期信号Ｖｓｙｎｃに応答して、撮像面にプリ露光を施し、かつ撮像面で生成された電荷を間引き態様で読み出す。撮像装置１６からは、読み出された電荷に基づく低解像度の生画像データが、ラスタ走査態様で周期的に出力される。
【００２５】
信号処理回路２２は、撮像装置１６から出力された生画像データに白バランス調整，色分離，ＹＵＶ変換などの処理を施し、これによって作成されたＹＵＶ形式の画像データをメモリ制御回路３２を通してＳＤＲＡＭ３４に書き込む。ＬＣＤドライバ３６は、ＳＤＲＡＭ３４に書き込まれた画像データをメモリ制御回路３２を通して繰り返し読み出し、読み出された画像データに基づいてＬＣＤモニタ３８を駆動する。この結果、被写界のリアルタイム動画像（スルー画像）がモニタ画面に表示される。
【００２６】
輝度評価回路２４は、信号処理回路２２から出力されたＹデータのうち既定の評価エリア（図示せず）に属するＹデータを、垂直同期信号Ｖｓｙｎｃに応答して積分する。ＣＰＵ３０は、輝度評価回路２４から出力された積分値つまり輝度評価値に基づいて適正ＥＶ値を算出するべく、上述のスルー画像処理と並列してスルー画像用ＡＥ処理（簡易ＡＥ処理）を繰り返し実行する。算出された適正ＥＶ値を定義する絞り量および露光時間は、ドライバ１８ｂおよび１８ｃにそれぞれ設定される。この結果、ＬＣＤモニタ３８に表示されるスルー画像の明るさが適度に調整される。
【００２７】
キー入力装置２８上のシャッタキー２８ｒが半押しされると、輝度評価回路２４から出力された輝度評価値に基づいて最適ＥＶ値を算出するべく、厳格な記録用ＡＥ処理が実行される。算出された最適ＥＶ値を定義する絞り量および露光時間は、上述と同様、ドライバ１８ｂおよび１８ｃにそれぞれ設定される。
【００２８】
記録用ＡＥ処理が完了すると、フォーカス評価回路２６の出力に基づくＡＦ処理が実行される。フォーカス評価回路２６は、信号処理回路２２から出力されたＹデータのうち評価エリアに属するＹデータから高周波成分を抽出し、抽出された高周波成分を垂直同期信号Ｖｓｙｎｃに応答して積分する。
【００２９】
ＣＰＵ３０は、フォーカス評価回路２６から出力された積分値つまりＡＦ評価値を参照して、いわゆる山登り処理によって合焦点に対応する位置を探索する。フォーカスレンズ１２は、垂直同期信号Ｖｓｙｎｃが発生する毎に光軸方向に移動した後、合焦点に対応する位置に配置される。
【００３０】
この実施例のディジタルカメラ１０は、撮像モードとして単写モードおよび連写モードを有する。図３（Ａ）および図３（Ｂ）に示すように、単写モードについては“８Ｍ＿Ｈ”，“４Ｍ＿Ｌ”，“４Ｍ＿Ｈ”，および“２Ｍ＿Ｌ”の４つの画質が準備され、連写モードについては“８Ｍ＿Ｈ”および“４Ｍ＿Ｈ”の２つの画質が準備される。ここで、“８Ｍ”は８００万画素の解像度を意味し、“４Ｍ”は４００万画素の解像度を意味し、“２Ｍ”は２００万画素の解像度を意味する。また、“Ｈ”は高圧縮率を意味し、“Ｌ”は低圧縮率を意味する。したがって、画質は、解像度および圧縮率の２つのパラメータによって定義される。
【００３１】
レジスタＲＧＳＴ１には、単写モードに対応して操作者によって選択された画質と、連写モードに対応して操作者によって選択された画質とが、図４に示す要領で設定される。レジスタＲＧＳＴ１にはまた、単写モードおよび連写モードのいずれが操作者によって選択されたかを識別するための識別情報が記述される。選択された撮像モードが単写モードであれば、識別情報は、単写モードに対応して“１”を示し、連写モードに対応して“０”を示す。これに対して、選択された撮像モードが連写モードであれば、識別情報は、単写モードに対応して“０”を示し、連写モードに対応して“１”を示す。
【００３２】
以下の説明では、操作者によって選択された撮像モードを“現撮像モード”と定義し、現撮像モードの下で操作者によって選択された画質を“現画質”と定義する。また、レジスタＲＧＳＴ１は、不揮発状態で管理される。
【００３３】
現撮像モードおよび現画質は、設定制御タスクの下でレジスタＲＧＳＴ１から検出される。ＬＣＤモニタ３８には、検出された現撮像モードおよび現画質を示すアイコンＩＣＮが図５に示す要領で表示される。図５によれば、アイコンＩＣＮは、撮像モードを示す左側アイコンＬ＿ＩＣＮと画質を示す右側アイコンＲ＿ＩＣＮとによって形成される。
【００３４】
この状態で設定キー２８ｓがオンされると、設定変更処理の開始を表明するべく、フラグＦＬＧが“１”に設定される。続いて、現撮像モードがトグル態様で変更され、変更された撮像モードに適合するようにアイコンＩＣＮが変更される（図５右上参照）。
【００３５】
現撮像モードおよび左側アイコンＬ＿ＩＣＮは、単写モードから連写モードに変更され、或いは連写モードから単写モードに変更される。また、右側アイコンＲ＿ＩＣＮは、変更された撮像モードに対応してレジスタＲＧＳＴ１に記述された画質を示すように変更される。
【００３６】
現撮像モードおよびアイコンＩＣＮの変更が完了すると、画質の変更が可能であることを報知するべく、アイコンＩＣＮの背景色が透明色からオレンジ色に変更される（図５右上参照）。さらに、２秒を測定するタイマＴＭ１のリセット＆スタートが実行され、タイマＴＭ１がタイムアウトとなるまで設定キー２８ｓの操作状態が繰り返し判別される。現画質および右側アイコンＲ＿ＩＣＮは、設定キー２８ｓがオン状態と判別される毎に変更される（図５左下参照）。
【００３７】
現画質および右側アイコンＲ＿ＩＣＯＮは、現撮像モードが単写モードであるとき“８Ｍ＿Ｈ”→“４Ｍ＿Ｌ”→“４Ｍ＿Ｈ”→“２Ｍ＿Ｌ”→“８Ｍ＿Ｈ”の要領で循環的に変更され、現撮像モードが連写モードであるとき“８Ｍ＿Ｈ”および“４Ｍ＿Ｈ”の間でトグル態様で変更される。
【００３８】
タイマＴＭ１は、現画質および右側アイコンＲ＿ＩＣＮが変更される毎にリセット＆スタートを施される。したがって、タイマＴＭ１がタイムアウトとなる時期は設定キー２８ｓのオン状態が検出される毎に延長され、タイムアウトＴＭ１は設定キー２８ｓのオフ状態が検出されてから２秒が経過した時点でタイムアウトとなる。
【００３９】
タイマＴＭ１にタイムアウトが発生すると、フラグＦＬＧが“０”に戻され、アイコンＩＣＮの背景色が透明色に戻される（図５右下参照）。フラグＦＬＧが“０”に戻されることで、設定変更処理の終了つまり現撮像モードおよび現画質の確定が表明される。また、背景色が透明色に戻されることで、タイムアウトが表明される。
【００４０】
フラグＦＬＧが“０”を示すときにシャッタキー２８ｒが全押しされると、ＣＰＵ３０は、現画質を撮像タスクの下で検出し、検出された現画質を定義する解像度および圧縮率をドライバ１８ｃおよびＩ／Ｆ４０にそれぞれ設定する。ＣＰＵ３０はさらに、現撮像モードが単写モードであるとき定数Ｎを“１”に設定し、現撮像モードが連写モードであるとき定数Ｎを“５”に設定する。
【００４１】
これらの設定が完了すると、ＣＰＵ３０は、Ｎ回の静止画取り込み処理をドライバ１８ｃに命令する。各々の静止画取り込み処理のために、ドライバ１８ｃは、垂直同期信号Ｖｓｙｎｃの発生に応答して撮像面に本露光を施し、これによって生成された電荷のうち設定解像度に対応する電荷をラスタ走査態様で読み出す。この結果、設定解像度を有するＮフレームの生画像データが撮像装置１６から出力される。出力されたＮフレームの生画像データは上述と同様の処理を施され、これによってＹＵＶ形式に従うＮフレームの画像データがＳＤＲＡＭ３４に確保される。
【００４２】
ＣＰＵ３０はその後、記録処理をＩ／Ｆ４０に命令する。Ｉ／Ｆ４０は、ＳＤＲＡＭ３４に格納されたＮフレームの画像データをメモリ制御回路３２を通して読み出し、読み出されたＮフレームの画像データを設定圧縮率で圧縮し、そしてＮフレームの圧縮画像データをファイル形式で記録媒体４２に記録する。なお、スルー画像処理は、記録処理が命令された後に速やかに再開される。
【００４３】
ＣＰＵ３０は、図６〜図７に示す撮像タスクおよび図８に示す設定制御タスクを含む複数のタスクを並列的に実行する。なお、これらのタスクに対応する制御プログラムは、フラッシュメモリ４４に記憶される。
【００４４】
図６を参照して、ステップＳ１ではスルー画像処理を実行する。この結果、被写界を表すスルー画像がＬＣＤモニタ３８に表示される。ステップＳ３ではシャッタキー２８ｒが半押しされたか否かを判別し、判別結果がＮＯである限りステップＳ５のスルー画像用ＡＥ処理を繰り返す。この結果、スルー画像の明るさが適度に調整される。シャッタキー２８ｒが半押しされると、ステップＳ７で記録用ＡＥ処理を実行し、ステップＳ９でＡＦ処理を実行する。ステップＳ７の処理によってスルー画像の明るさが厳格に調整され、ステップＳ９の処理によってフォーカスレンズ１２が合焦点に配置される。
【００４５】
ステップＳ１１ではシャッタキー２８ｒが全押しされたか否かを判別し、ステップＳ１３ではシャッタキー２８ｒの操作が解除されたか否かを判別し、ステップＳ１５ではフラグＦＬＧが“０”であるか否かを判別する。ステップＳ１１およびＳ１５のいずれもＹＥＳであればステップＳ１７に進み、ステップＳ１１でＮＯでかつステップＳ１３でＹＥＳであればステップＳ３に戻る。ステップＳ１３またはＳ１５でＮＯであればステップＳ１１に戻る。
【００４６】
ステップＳ１７では、現画質を定義する解像度および圧縮率をレジスタＲＧＳＴ１から検出し、検出された解像度および圧縮率をドライバ１８ｃおよびＩ／Ｆ４０にそれぞれ設定する。ステップＳ１９では現撮像モードが単写モードおよび連写モードのいずれであるかを判別し、単写モードであればステップＳ２１で定数Ｌを“１”に設定する一方、連写モードであればステップＳ２３で定数Ｌを“５”に設定する。
【００４７】
定数Ｌの設定が完了すると、ステップＳ２５で変数Ｋを“１”に設定し、ステップＳ２７で静止画取り込み処理の実行をドライバ１８ｃに命令する。この結果、ステップＳ１７で設定された解像度を有する１フレームの画像データがＳＤＲＡＭ３４に確保される。ステップＳ２７の処理が完了すると、ステップＳ２９で変数Ｋをインクリメントし、ステップＳ３１で変数Ｋが定数Ｌを上回るか否かを判別する。判別結果がＮＯであればステップＳ２７に戻り、判別結果がＹＥＳであればステップＳ３３で記録処理の実行をＩ／Ｆ４０に命令する。
【００４８】
Ｉ／Ｆ４０は、ＳＤＲＡＭ３４に格納されたＮフレームの画像データをメモリ制御回路３２を通して読み出し、読み出されたＮフレームの画像データを設定圧縮率で圧縮し、そしてＮフレームの圧縮画像データをファイル形式で記録媒体４２に記録する。ステップＳ３３の処理が完了すると、ステップＳ１に戻る。
【００４９】
図８を参照して、ステップＳ４１では、現撮像モードおよび現画質をレジスタＲＧＳＴ１から検出する。ステップＳ４３では、アイコンＩＣＮの表示をＬＣＤドライバ３６に命令する。アイコンＩＣＮは、現撮像モードおよび現画質を示す態様でＬＣＤモニタ３８に表示される。ステップＳ４５では初期化のためにフラグＦＬＧを“０”に設定し、ステップＳ４７では設定キー２８ｓがオン状態であるか否かを判別する。
【００５０】
判別結果がＮＯからＹＥＳに更新されると、ステップＳ４９でフラグＦＬＧを“１”に更新し、ステップＳ５１で現撮像モードをトグル態様で変更する。ステップＳ５３では、変更後の撮像モードに適合するようにアイコンＩＣＮを変更する。
【００５１】
ステップＳ５５ではアイコンＩＣＮの背景色を透明色からオレンジ色に変更し、ステップＳ５７ではタイマＴＭのリセット＆スタートを実行する。ステップＳ５９では設定キー２８ｓがオン状態であるか否かを判別し、ステップＳ６１ではタイマＴＭにタイムアウトが発生したか否かを判別する。
【００５２】
ステップＳ５９でＹＥＳであれば、ステップＳ６３で現画質を変更し、ステップＳ６５で右側アイコンＲ＿ＩＣＮを変更し、その後にステップＳ５７に戻る。ステップＳ５９およびＳ６１のいずれもＮＯであれば、ステップＳ５９に戻る。
【００５３】
ステップＳ６１でＹＥＳであればステップＳ６７に進み、アイコンＩＣＮの背景色をオレンジ色から透明色に戻す。ステップＳ６９では、現撮像モードおよび現画質の確定を表明するべく、フラグＦＬＧを“０”に更新する。ステップＳ６９の処理が完了すると、ステップＳ４７に戻る。
【００５４】
以上の説明から分かるように、撮像装置１６は、指定解像度を各々が有する指定数の被写界像をシャッタキー２８ｒの操作に応答して生成する。Ｉ／Ｆ４０は、生成された被写界像を指定圧縮率で圧縮し、圧縮被写界像を記録媒体４２に記録する。ＣＰＵ３０は、設定キー２８ｓの操作に応答して指定数の大きさを変更する(S51)。ＣＰＵ３０はまた、指定数の変更処理の後の指定期間における設定キー２８ｓの操作態様を参照して指定解像度および／または指定圧縮率の大きさを変更し(S63)、指定期間が経過したとき指定数，指定解像度および指定圧縮率を確定させる(S69)。
【００５５】
したがって、指定数，指定解像度および指定圧縮率はいずれも、設定キー２８ｓの操作に応答して変更される。これによって、操作性が向上する。
【００５６】
なお、この実施例では、設定キー２８ｓのオン状態が検出される毎に現画質および右側アイコンＲ＿ＩＣＮを変更するようにしている（図９のステップＳ５９，Ｓ６３，Ｓ６５参照）。しかし、設定キー２８ｓがオフ状態からオン状態に遷移する毎に現画質および右側アイコンＲ＿ＩＣＮを変更するようにしてもよい。この場合、図９に示すステップＳ５９の処理に代えて、図１０に示すステップＳ５９’を実行する必要がある。ステップＳ５９’によれば、設定キー２８ｓがオフ状態からオン状態に遷移したか否かが判別され、判別結果がＹＥＳであるときにステップＳ６３に進む。
【００５７】
なお、この実施例では、設定キー２８ｓの操作に応答して撮像モードおよび／または画質を変更するようにしている。しかし、ディジタルカメラ１０に画像再生機能（モード）を追加するとともに、再生画像を指定するための十字キーを追加し、カメラモードにおける十字キーの特定方向への操作（たとえば左方向への操作）に応答して撮像モードおよび／または画質を変更するようにしてもよい。
【００５８】
さらに、設定キー２８ｓや方向キーとは異なるキーを撮像モードおよび／または画質を変更するためのキーとして割り当てるようにしてもよい。
【符号の説明】
【００５９】
１０  …ディジタルカメラ
１２  …フォーカスレンズ
１６  …撮像装置
２４  …輝度評価回路
２６  …フォーカス評価回路
２８  …キー入力装置
３０  …ＣＰＵ
４４  …フラッシュメモリ
【図１】
2010287984.tif 000003
【図２】
2010287984.tif 000004
【図３】
2010287984.tif 000005
【図４】
2010287984.tif 000006
【図５】
2010287984.tif 000007
【図６】
2010287984.tif 000008
【図７】
2010287984.tif 000009
【図８】
2010287984.tif 000010
【図９】
2010287984.tif 000011
【図１０】
2010287984.tif 000012